(57)【要約】【課題】  下方の障害物が有る場合にも簡素な形状の垂木掛け及び安価な垂木取付金具を用いて、垂木掛けに対して最小限の加工で、垂木と垂木掛けの接合を可能にする。【解決手段】  垂木掛けの垂木載置部に垂木の端部を載せ、垂木掛けと垂木とを接合する接合構造において、垂木載置部に載置される垂木の幅よりも狭い間隔をもって第１のねじ貫通孔と垂木の幅よりも広い間隔をもって第２のねじ貫通孔を設け、垂木の端部底部に第１のねじ貫通孔と等しい間隔をもってねじ孔を設ける。垂木の端部にねじ孔を設け、下方に障害物がない場合は垂木載置部に垂木の端部を載せ、第１のねじ貫通孔に貫通したねじを垂木の端部のねじ孔にねじ込んで垂木と垂木掛けとを接合し、下方に障害物が存在する場合は第２のねじ貫通孔に貫通したねじを垂木載置部に載せた垂木取付金具を垂木掛けに固着し、垂木取付金具の間で垂木載置部に垂木の端部を載せ、垂木取付金具の他端部に貫通したねじを垂木の端部のねじ孔にねじ込んで垂木と垂木掛けを接合する。【選択図】      図４
2005188048.tif 000002
【特許請求の範囲】
【請求項１】
建物躯体に取付けられる垂木掛けの垂木載置部に垂木の建物躯体側端部を載置し、その垂木掛けと垂木とを接合する接合構造において、
前記垂木掛けには、前記垂木載置部に、その垂木載置部に載置される垂木の幅よりも僅かに狭い間隔をもって第１のねじ貫通孔を設けるととともに、垂木の幅よりも僅かに広い間隔をもって第２のねじ貫通孔を設け、
前記垂木には、その垂木の建物躯体側端部の底部に前記垂木掛けの第１のねじ貫通孔と等しい間隔をもってねじ孔を設けるとともに、その垂木の建物躯体側端部の側面にねじ孔を設け、
垂木掛けの下方に障害物が存在しない場合には、垂木掛けの第１のねじ貫通孔に貫通したねじを垂木掛けの垂木載置部に載置された垂木の建物躯体側端部のねじ孔にねじ込んで垂木と垂木掛けとを接合し、
垂木掛けの下方に障害物が存在する場合には、垂木掛けの第２のねじ貫通孔に貫通したねじを垂木掛けの垂木載置部に載置した垂木取付金具の一端部にねじ込んでその垂木取付金具を前記垂木掛けに固着するとともに、前記垂木取付金具の他端部に貫通したねじを前記垂木取付金具の間において前記垂木掛けの垂木載置部に載置された前記垂木の建物躯体側端部の側面のねじ孔にねじ込んで垂木と垂木掛けとを接合することを特徴とする垂木掛けと垂木の接合構造。
【請求項２】
建物躯体に取付けられる垂木掛けの垂木載置部に垂木の建物躯体側端部を載置し、その垂木掛けと垂木とを接合する接合構造において、
前記垂木掛けには、前記垂木載置部に、その垂木載置部に載置される垂木の幅よりも僅かに狭い間隔をもって第１のねじ貫通孔を設けるととともに、垂木の幅よりも僅かに広い間隔をもって第２のねじ貫通孔を設け、
前記垂木には、その垂木の建物躯体側端部の底部に前記垂木掛けの第１のねじ貫通孔と等しい間隔をもってねじ孔を設けるとともに、その垂木の側部に上面に開口するあり溝を設け、
垂木掛けの下方に障害物が存在しない場合には、垂木掛けの第１のねじ貫通孔に貫通したねじを垂木掛けの垂木載置部に載置された垂木の建物躯体側端部のねじ孔にねじ込んで垂木と垂木掛けとを接合し、
垂木掛けの下方に障害物が存在する場合には、垂木掛けの第２のねじ貫通孔に貫通したねじを垂木掛けの垂木載置部に載置した垂木取付金具の一端部にねじ込んでその垂木取付金具を前記垂木掛けに固着するとともに、前記垂木取付金具の他端部に貫通したねじを前記垂木取付金具の間において垂木掛けの垂木載置部に載置された垂木の側部のあり溝の建物躯体側端部に挿入したナットにねじ込んで垂木と垂木掛けとを接合することを特徴とする垂木掛けと垂木の接合構造。
【発明の詳細な説明】
【技術分野】
【０００１】
本発明は、例えば、テラス用パネル屋根などにおける垂木掛けと垂木の接合構造に関する。
【背景技術】
【０００２】
図１はテラス用パネル屋根の一例を示す斜視図である。
テラス用パネル屋根には、図１に示すように、建物躯体Ｈに固定した垂木掛け１と、建物躯体から離間された位置に立設された支柱２の上端部に固定した前桁３との間に複数本の垂木４1 〜４5 を間隔を開けて斜めに掛け渡し、垂木掛け１と前桁３と隣り合う垂木４1 ，４2 ；４2 ，４3 〜４4 ，４5 の間にパネル５1 〜５4 を載置し、各垂木の上からパネル押え６を垂木に固定してなるものがある。
【０００３】
この場合、垂木と垂木掛けを接合する構造には、垂木掛けの形状、固着手段の構成及び固着方向に関して、特許文献１，２，３に開示されているように、種々のものがある。
【特許文献１】特開２００１−０９０２８５号公報
【特許文献２】特開２００１−１７３１０１号公報
【特許文献３】特開２００１−２２０８２１号公報
【０００４】
図７は特許文献１に記載されたテラス用パネル屋根における垂木と垂木掛けの接合構造を示す断面図、図８は図７のＸ−Ｘ線に沿った断面図である。垂木掛けの必要最小限の構成要素は、図７に例示するように、建物躯体Ｈに当接してコーチスクリューなどＳで固着される取付部１１、その取付部の下端部から建物躯体より離れる方向に延出して垂木４の端部を載置する垂木載置部１２、取付部１１と垂木載置部１２との間に形成され、垂木載置部１２に載置される垂木の建物躯体側端部を当てて位置決めをする垂木位置決め部１３と、取付部１１の上部から建物躯体より離れる方向に平行に延出して垂木のパネル載置面に載置されたパネル５の建物躯体側端部を収容する溝１４を形成し、かつ、パネルの上面及び下面に密着するガスケットを装着するための突縁部１５，１６とである。上側突縁部１５は、パネル押え６の建物躯体側端部を押えるためにも使用される。垂木掛けの形状が、このような簡素なものである場合は、製造コストを最も安くすることができる。
【０００５】
また、図８に示すように、垂木４の下端部に両側に延出する固着部４１を設け、この垂木を垂木掛けの垂木載置部１２に載置して、垂木の下方から垂木載置部に貫通したねじ７を垂木の固着部４１にねじ込むことにより接合する接合構造を採用する場合は、固着具としてねじのみを使用すれば良いので固着手段の材料コストも安く、ねじのねじ込み作業のみで固着されるから固着作業が簡単であるという利点がある。
なお、図８において、パネル屋根の右端部の垂木４ｒは妻垂木であり、この妻垂木の一側にも固着部４１ｅが設けられ、垂木載置部１２の下方からねじ７ｅを貫通し、固着部４１ｅにねじ込むことにより垂木掛け１と妻垂木４ｒが接合されている。
【０００６】
しかし、ねじ７，７ｅのねじ込みには垂木掛け１の下方に作業スペースを必要とするので、図１に示すように、垂木掛け１の下方にカーテンボックスＢ又は戸袋などの障害物が存在する場合は、垂木掛けに垂木を接合できないという問題がある。
【０００７】
この問題を解決するため、垂木掛けに対する垂木の接合作業を垂木の下方から行うための構成と、垂木掛けに対する垂木の接合作業を垂木の側方から行うための構成とを備えて、垂木掛けの取付位置の下方に障害物があるか否かにより、そのいずれかを選択することができるようにした発明が、特許文献４に開示された。
【特許文献４】特開２００３−２２７１７６号公報
【０００８】
特許文献４に記載された発明は、第一に垂木掛け(2)の取付壁と垂木載置部(21) との間の垂木位置決め部に連なる斜めのブラケット取付部(25)を設けるとともに、第二に垂木掛け当接部(53)と垂木挿入部(51)と両側のねじ受け部(52)とを有するブラケット(5) を形成し、第三に垂木(3) にはその底壁及び側壁の垂木掛け側端部にねじ貫通孔を設けた構成とされている。
【０００９】
そして、障害物が存在しない場合は、垂木掛け(2) の垂木載置部(21)に載置された垂木(3) のねじ貫通孔に垂木掛けの垂木載置部の下方からねじ(4) をねじ込むことにより接合する。これに対し、下方に障害物が存在する時は、まず、垂木掛け(2) のブラケット取付部(25)にブラケット(5)を垂木掛けに関して建物躯体と反対側からねじ込まれるねじ(6)により固定し、そのブラケット(5) を垂木(3) の建物躯体側端部の中空部に挿入し、その垂木の側面のねじ貫通孔から垂木を貫通したねじ(7) をブラケット(5) のねじ受け部(52)にねじ込むことにより接合する。
【発明の開示】
【発明が解決しようとする課題】
【００１０】
上記のように、特許文献４のものは、垂木の下方以外の位置から、すなわち、垂木掛けの建物躯体と反対側からのねじ込み作業及び垂木の側面からのねじ込み作業を可能にするため、垂木掛けには斜めのブラケット取付部(25)を新たに設ける必要があり、従って、垂木掛け製造のために新規なダイスを製作する必要があるので、結局、垂木掛けの製造コストの上昇が避けられない。
また、ブラケット(5) は垂木掛けのブラケット取付部(25)から垂木の中空部の建物躯体側端部に挿入されるまでの長さを有し、かつ、垂木挿入部(51)は垂木の両側内壁面に当接されるだけの幅を備える必要があるので、ブラケットの価格が高額になる問題がある。
【００１１】
本発明は、上記の点に鑑みてなされたものであり、その課題は、垂木掛けの下方に障害物が存在しない場合、存在する場合のいずれの場合にも、既製の可及的に簡素な形状の垂木掛けの継続使用ができ、しかも、垂木掛けの下方に障害物が存在する場合に用いる垂木取付金具を可及的に安価なものとすることができ、なおかつ、垂木掛けに対する加工数を最小限にすることができる垂木と垂木掛けの接合構造を提供することにある。
【課題を解決するための手段】
【００１２】
上記課題を解決するため、請求項１の発明は、建物躯体に取付けられる垂木掛けの垂木載置部に垂木の建物躯体側端部を載置し、その垂木掛けと垂木とを接合する接合構造において、（ａ）垂木掛けには、垂木載置部に、その垂木載置部に載置される垂木の幅よりも僅かに狭い間隔をもって第１のねじ貫通孔を設けるととともに、垂木の幅よりも僅かに広い間隔をもって第２のねじ貫通孔を設け、（ｂ）垂木には、その垂木の建物躯体側端部の底部に垂木掛けの第１のねじ貫通孔と等しい間隔をもってねじ孔を設けるとともに、その垂木の建物躯体側端部の側面にねじ孔を設け、（ｃ１）垂木掛けの下方に障害物が存在しない場合には、垂木掛けの第１のねじ貫通孔に貫通したねじを垂木掛けの垂木載置部に載置された垂木の建物躯体側端部のねじ孔にねじ込んで垂木と垂木掛けとを接合し、（ｃ２）垂木掛けの下方に障害物が存在する場合には、垂木掛けの第２のねじ貫通孔に貫通したねじを垂木掛けの垂木載置部に載置した垂木取付金具の一端部にねじ込んでその垂木取付金具を垂木掛けに固着するとともに、垂木取付金具の他端部に貫通したねじを垂木取付金具の間において垂木掛けの垂木載置部に載置された垂木の建物躯体側端部の側面のねじ孔にねじ込んで垂木と垂木掛けとを接合することを特徴としている。
【００１３】
請求項２の発明は、建物躯体に取付けられる垂木掛けの垂木載置部に垂木の建物躯体側端部を載置し、その垂木掛けと垂木とを接合する接合構造において、（ａ）垂木掛けには、垂木載置部に、その垂木載置部に載置される垂木の幅よりも僅かに狭い間隔をもって第１のねじ貫通孔を設けるととともに、垂木の幅よりも僅かに広い間隔をもって第２のねじ貫通孔を設け、（ｂ´）垂木には、その垂木の建物躯体側端部の底部に垂木掛けの第１のねじ貫通孔と等しい間隔をもってねじ孔を設けるとともに、その垂木の側部に上面に開口するあり溝を設け、（ｃ１）垂木掛けの下方に障害物が存在しない場合には、垂木掛けの第１のねじ貫通孔に貫通したねじを垂木掛けの垂木載置部に載置された垂木の建物躯体側端部のねじ孔にねじ込んで垂木と垂木掛けとを接合し、（ｃ２）垂木掛けの下方に障害物が存在する場合には、垂木掛けの第２のねじ貫通孔に貫通したねじを垂木掛けの垂木載置部に載置した垂木取付金具の一端部にねじ込んでその垂木取付金具を前記垂木掛けに固着するとともに、前記垂木取付金具の他端部に貫通したねじを前記垂木取付金具の間において垂木掛けの垂木載置部に載置された垂木の側部のあり溝の建物躯体側端部に挿入したナットにねじ込んで垂木と垂木掛けとを接合することを特徴としている。
【発明の効果】
【００１４】
請求項１の発明によれば、垂木掛けの下方に障害物が存在しない場合は、従来と同様に、垂木掛けの下方からねじをねじ込むことにより簡単に垂木と垂木掛けの接合を行うことができる。また、垂木掛けの下垂木掛けの垂木載置部の第１のねじ貫通孔を経て垂木のねじ孔に方に障害物が存在する場合は、垂木掛けの垂木載置部に垂木取付金具を第２のねじ貫通孔に貫通したねじで予め取付けて置き、その垂木取付金具の間において垂木掛けの垂木載置部に垂木の建物躯体側端部を載置し、垂木取付金具から垂木の建物躯体側端部の側面のねじ孔にねじをねじ込むことにより、垂木と垂木掛けの接合を行うことができ、障害物が存在しても接合作業が可能である。しかも、第１のねじ貫通孔及び第２のねじ貫通孔はともに垂木載置部に近接して設けられるので、加工作業がとくに繁雑になることがない。また、垂木取付金具は垂木掛けに近い位置にある垂木載置部と垂木の建物躯体側端部に固着されるので、材料消費量は必要最小限で済むから、コスト上昇を招くことなく、垂木掛けの下方に障害物が存在する場合に対応することができる。
【００１５】
請求項２の発明によれば、請求項１の発明と同一の効果が得られるほか、側部にあり溝を有する垂木は広く使用されているので、このような垂木をそのまま用いて、垂木掛けの下方に障害物が存在しない場合にも、存在する場合にも、容易に垂木と垂木掛けの接合を行うことができる。
【発明を実施するための最良の形態】
【００１６】
次に、本発明の最良の実施の形態について、図面に基づいて説明する。
図１は、垂木掛けの下方に障害物が存在する場合のテラス屋根の設置状態を示す斜視図、図２は図１の円Ａ部分に対応する本発明の第１実施例の縦断面図、図３は図２のＹ−Ｙ線に沿った断面図、図４は垂木掛けの下方に障害物が存在する場合の接合過程を説明する工程図である。図５は本発明の第２実施例における垂木取付金具の垂木に対する他の結合構造の例を示す斜視図、図６は各実施例に用いる垂木取付金具の形状の例を示す斜視図である。
【００１７】
本発明においては、図１の左から２本目と３本目の垂木４2 ，４3 及び左側の妻垂木４1 は、図７及び図８に基づいて説明された接合構造と同一の接合構造を用いて垂木掛け１に接合されている。これに対し、図１の左から４本目の垂木４4 及び右側の妻垂木４5 は、図２及び図３に基づいて以下に説明される接合構造を用いて垂木掛け１に接合されている。
【００１８】
垂木掛け１には、図８及び図４（ａ）に示すように、垂木載置部１２に垂木４の底面における幅よりも僅かに狭い間隔をもってねじ貫通孔１２ａ，１２ａが設けられ、その外側に垂木４の底面における幅よりも僅かに広い間隔をもってねじ貫通孔１２ｂ，１２ｂが設けられている。内側の狭い間隔のねじ貫通孔１２ａ，１２ａの間隔は、垂木４の建物躯体側端部の底壁に設けられているねじ孔の間隔と等しい。外側の広い間隔のねじ貫通孔１２ｂ，１２ｂの径と内側の狭い間隔のねじ貫通孔１２ａ，１２ａの径は、共通のねじの使用を可能にするため、等しいことが好ましい。
【００１９】
垂木掛け１の垂木載置部１２には、外側のねじ貫通孔１２ａ，１２ｂを用いて、垂木取付金具８の一端部をねじにより垂木掛け１に固着することができる。垂木取付金具８は、十分な強度を有する鋼製であり、図２〜図６（ａ）に示すように、垂木掛け当接部８１と垂木当接部８２とそれらの間を繋ぐ中間接続部８３とを有する。そして、垂木掛け当接部８１と垂木当接部８２にはそれぞれ垂直方向及び水平方向に貫通するねじ孔８１ａ，８２ａが設けられている。図４に示すように、左右の垂木取付金具８は、左右対称形に作られている。ねじ貫通孔１２ａ，１２ｂ及びねじ孔８１ａ，８２ａのいずれにも、同一サイズのねじを貫通し、又はねじ込むことができる。
【００２０】
上記の構成により、図１の垂木掛け１に下方に障害物が存在しない位置で垂木４2 ，４3 を接合するときは、図７，８に示すように、従来と同様に垂木掛けの垂木載置部１２に垂木４の建物躯体側端部を載置し、その垂木の底壁（固着部）４１に設けてあるねじ孔（図示せず）を垂木掛けの垂木載置部の内側のねじ貫通孔１２ａ，１２ａと合致させ、その下方からねじ７を貫通させ、かつ、ねじ込んで接合することができる。
これに対して、図１の垂木掛け１に下方に障害物が存在する位置で垂木４4 を接合するときは、垂木掛け１を建物躯体に取付ける前に、その垂木掛けの垂木載置部の外側のねじ貫通孔１２ｂ，１２ｂを用いて垂木取付金具８を垂木掛け１に取付けて置く。すなわち、図４（ａ）（ｂ）に示すように、垂木取付金具８の垂木掛け当接部８１を垂木載置部１２に当接してねじ孔８１ａをねじ貫通孔１２ｂと合致させ、垂木載置部１２の下方からねじ７をねじ貫通孔１２ｂを経てねじ孔８１にねじ込んで取付ける。また、垂木４の建物躯体側端部の側面に垂木当接部８２のねじ孔８２ａと位置的に合致するねじ孔４２を形成して置く。続いて、その垂木掛け１を図６（ｃ）に示すようにコーチスクリューＳにより建物躯体に取付け、その垂木４の建物躯体側端部を両取付金具８の間に嵌合して垂木載置部１２に載置するとともに、垂木取付金具８の垂木当接部８２をその垂木の側面に当接し、垂木当接部８２のねじ孔８２ａからねじ７´を垂木の側面のねじ孔４２にねじ込んで、垂木掛け１と垂木４とを垂木取付金具８を介して接合する。
【００２１】
図１の右側の妻垂木４5 については、図３の右側に示すように、妻垂木４5 の左側に突設してある底壁（固着部）４１ｅに図４の左側の垂木取付金具８と同一形状の垂木取付金具８を同様の要領で取付け、その垂木取付金具８により垂木掛け１と妻垂木４5 とが接合されている。
【００２２】
上述のように、垂木載置部の外側のねじ貫通孔１２ｂ，１２ｂを用いて、内側のねじ貫通孔１２ａ，１２ａにねじ込まれるのと同じねじ７を、垂木取付金具の垂木当接部８２のねじ孔８２ａ及び垂木４の側面のねじ孔４２にその側方からねじ込むことにより垂木と垂木掛けの接合が可能であるから、垂木掛けの下方に障害物（Ｂ）が存在してもこれに左右されずに垂木４4 ，４5 の垂木掛けに対して接合することができる。
【００２３】
図２，図４，図６（ａ）に示す垂木取付金具８は、垂木がその底壁の両外側に突設された固着部４１ｅを有する場合に適合する形状を有するが、その形状は固着部の断面形状に応じて任意に変更し得る。図６（ｂ）に示す垂木取付金具８Ａのように、中間接続部８３の固着部４１ｅに載置される部分にねじ貫通孔８３ａを形成して置けば、固着部が図５に４１ｅで示すようにあり溝状に形成されている場合は、そのねじ貫通孔８３ａからボルト７´を貫通し、固着部のあり溝に挿入したナット（図示されていない）にねじ込むことによって垂木と垂木掛けを接合することもできる。
【００２４】
さらに、使用される垂木が最初から図５に示すようなあり溝状の固着部４１ｅ´を有するものである場合は、垂木取付金具は、図６（ｃ）に８Ｂで示すように、（ｂ）の垂木取付金具８Ａの垂木当接部８２を除去した形態のものとすることもできる。
いずれの垂木取付金具も、垂木掛けの垂木載置部にねじで固着される部分と、垂木の側壁又は固着部にねじ若しくはボルトナットで固着される部分とを有する形状が簡単で小型であるから、安価である。垂木掛けに対しては予め垂木載置部の下方からねじこまれるねじにより固定され、垂木に対しては垂木掛けの垂木載置部に載置された垂木にその側方からねじ込まれるねじにより固定されるので、下方に障害物が存在しても、接合作業が妨げられることがない。
【００２５】
本発明の実施の態様には、垂木掛けの垂木載置部の予め定めてある垂木接合位置に下方に障害物が存在しない場合に対応して垂木の幅よりも狭い間隔を有する一対のねじ貫通孔が設けられていて、屋根設置現場において下方に障害物が存在する場合にその障害物に対応する垂木接合位置においては、垂木の幅よりも狭い間隔を有する内側の一対のねじ貫通孔の外側に垂木の幅より広い間隔を有する外側の一対のねじ貫通孔を付加的に設ける第一態様と、下方に障害物が存在する場合に、その障害物の存在位置に関わりなく、全ての垂木接合位置において垂木の幅よりも狭い間隔を有する内側の一対のねじ貫通孔と垂木の幅より広い間隔を有する外側の一対のねじ貫通孔を設ける第二態様とがあり得る。これらの場合は、屋根設置現場において垂木掛けに対する加工が全く不要である利点がある。そして、内側と外側のねじ貫通孔は、同一のドリルを用いて単に垂木掛けを長手方向に所定距離移動し、同一方向の穿孔作業により簡単に形成することができるので、加工を容易かつ安価に行うことができる。しかし、本発明の実施の態様は、このほかに、従来の垂木掛けに対して屋根設置現場において、存在する障害物に対応する各垂木接合位置において内側の一対のねじ貫通孔の外側に一対のねじ貫通孔を形成する第三態様を実施することもできる。
【産業上の利用可能性】
【００２６】
本発明は、建物躯体に固定される水平部材に建物躯体から離れる方向に延出して板（パネル）を支持する支持部材を接合する構造一般、例えば、テラス用パネル屋根のほかに、差し掛け屋根やひさしなどにも適用可能である。また、バルコニー用デッキのデッキ材支持用根太も中空部の側部にあり溝を有する同様の構造を有するので、請求項２の発明は、根太と根太掛けの接合にも適用することができる。
【図面の簡単な説明】
【００２７】
【図１】テラス用パネル屋根の一例を示す斜視図。
【図２】図１の円Ａ部分における本発明の第１実施例に対応する縦断面図。
【図３】図２のＺ−Ｚ線に沿った断面図。
【図４】垂木掛けの下方に障害物が存在する場合の接合過程を説明する工程図。
【図５】本発明の第２実施例における垂木取付金具の垂木に対する他の結合構造の例を示す斜視図。
【図６】垂木取付金具の形状の変化例を示す斜視図。
【図７】従来技術の一例を示す断面図。
【図８】図７のＸ−Ｘ線に沿った断面図。
【符号の説明】
【００２８】
１        垂木掛け
４1 ，４2 垂木
１２      垂木載置部
１２ａ，１２ａ    第１のねじ貫通孔
１２ｂ，１２ｂ    第２のねじ貫通孔
７        ねじ
８        垂木取付金具
【図１】
2005188048.tif 000003
【図２】
2005188048.tif 000004
【図３】
2005188048.tif 000005
【図４】
2005188048.tif 000006
【図５】
2005188048.tif 000007
【図６】
2005188048.tif 000008
【図７】
2005188048.tif 000009
【図８】
2005188048.tif 000010